(57)【要約】【課題】積雪地域に設置された場合であっても、除雪板の刃先または排土板を逃がすことができ、また、製品在庫保管時や輸送時に受枠がずれたり、変形したりすることを抑える。【解決手段】マンホール蓋用受枠は、径方向断面が箱型の枠と、この箱型の枠から放射する突起状に形成された複数の径方向断面が箱型のリブと、この箱型の枠およびリブの外周下部に形成されたフランジとを備えてなり、上記箱型の枠がマンホール蓋に嵌合する内周部と、この内周部の上縁より外方に向かって下り傾斜を有する上縁部と、この上縁部先端よりフランジに至る外周部とより形成され、上記箱型のリブが上記箱型の枠の上縁部より連続して放射状に形成されるリブ上縁部とフランジに至るリブ外周部とより形成され、フランジが箱型のリブ間に形成されたボルト孔を有し、リブ外周部の立ち上がり部の周囲に肉薄部が形成されてなる。【選択図】      図１
2004257197.tif 000002
【特許請求の範囲】
【請求項１】
マンホール蓋を支持するマンホール蓋用受枠であって、該受枠は径方向断面が箱型の枠と、この箱型の枠から突起状に形成された複数の径方向断面が箱型のリブと、この箱型の枠およびリブの外周下部に形成されたフランジとを備えてなり、
前記箱型の枠がマンホール蓋に嵌合する内周部と、この内周部の上縁より外方に向かって下り傾斜を有する上縁部と、この上縁部先端より前記フランジに至る外周部とより形成され、
前記箱型のリブが前記箱型の枠の上縁部より連続して放射状に形成されるリブ上縁部と、前記フランジに至るリブ外周部とより形成され、
前記フランジが前記箱型のリブ間に形成されたボルト孔を有し、前記リブ外周部の立ち上がり部の周囲に肉薄部が形成されてなることを特徴とするマンホール蓋用受枠。
【請求項２】
前記箱型のリブ上縁部が前記箱型の枠上縁部と同一の下り傾斜を有することを特徴とする請求項１記載のマンホール蓋用受枠。
【請求項３】
前記箱型の枠底面に前記枠上縁部が嵌合できる窪みを有することを特徴とする請求項１または請求項２記載のマンホール蓋用受枠。
【発明の詳細な説明】
【０００１】
【発明の属する技術分野】
本発明はマンホール蓋用受枠に関し、特に積雪地域に設置されるマンホール蓋用受枠に関する。
【０００２】
【従来の技術】
積雪地域に設置されるマンホールは、除雪時に除雪車の除雪刃先または排土板がマンホールに衝突して、マンホール蓋用受枠が損傷する場合がある。また衝突時に、除雪車が急停車し運転者が負傷する場合がある。特にアスファルト舗装された路面に設置されるマンホールは、アスファルトがマンホール周囲で剥離したり、あるいは沈降したりして、路面から突出する場合が多く、積雪地域に設置されるマンホールの除雪車対策が要望されている。
この問題に対処するために、断面形状が箱形の受枠を使用し、除雪刃先または排土板の衝撃を吸収する受枠が知られている（特許文献１参照）。
【０００３】
【特許文献１】
特許第２５８１６５８号公報（段落［０００７］）
【０００４】
【発明が解決しようとする課題】
しかしながら、従来の除雪車対策用の受枠は、その外周面に補強用リブを有しているため、アスファルト舗装時にアスファルトの充填や転圧が不十分になるという問題がある。マンホール蓋用受枠の外周面に設けられる補強用リブは、主に受枠の変形を防ぐ目的で設けられているが、この補強用リブ等があるため、マンホール蓋用受枠周囲で均一に舗装ができないためアスファルトがブロックになりやすい。その結果、マンホール蓋用受枠周囲のアスファルトが割れやすくなり、陥没しやすくなり、あるいは剥離しやすくなるなどの問題が生じる。
マンホール蓋用受枠周囲のアスファルトが剥離すると、受枠上面が路面に突出することになり、除雪車の除雪刃先または排土板が受枠外周面に衝突しやすくなるという問題がある。
【０００５】
一方、マンホール蓋用受枠は、その施工時の路面状況に応じて、あるいは補修時のかさ上げ時等に所定の角度を持たせて付設されることがあり、それらの場合、従来の除雪車対策用の受枠は、除雪刃先または排土板を逃がすためのガイド部が短く、除雪刃先または排土板が衝突しやすくなるという問題がある。
また、マンホール蓋用受枠は５０ｋｇ程度の重量があるが、製品在庫保管時や輸送時に受枠がずれたり、変形したりする問題がある。
【０００６】
本発明は、このような問題に対処するためになされたもので、積雪地域に設置された場合であっても、除雪板の刃先または排土板を逃がすことができる外周面を有し、アスファルトの充填や転圧を均一かつ十分に行なうことができ、施工完了後にアスファルトの剥離や陥没を抑え、また、製品在庫保管時や輸送時に受枠がずれたり、変形したりすることを抑えることができるマンホール蓋用受枠の提供を目的とする。
【０００７】
【課題を解決するための手段】
本発明は、マンホール蓋を支持するマンホール蓋用受枠であって、該受枠は径方向断面が箱型の枠と、この箱型の枠から突起状に形成された複数の径方向断面が箱型のリブと、この箱型の枠およびリブの外周下部に形成されたフランジとを備え、上記箱型の枠がマンホール蓋に嵌合する内周部と、この内周部の上縁より外方に向かって下り傾斜を有する上縁部と、この上縁部先端よりフランジに至る外周部とより形成され、上記箱型のリブが上記箱型の枠の上縁部より連続して放射状に形成されるリブ上縁部とフランジに至るリブ外周部とより形成され、フランジが箱型のリブ間に形成されたボルト孔を有し、リブ外周部の立ち上がり部の周囲に肉薄部が形成されてなることを特徴とする。
また、上記箱型のリブ上縁部が上記箱型の枠上縁部と同一の下り傾斜を有することを特徴とする。
また、上記箱型の枠底面に上記枠上縁部が嵌合できる窪みを有することを特徴とする。
【０００８】
箱型の枠から突起状に形成された箱型のリブを有することにより、この箱型構造のリブが受枠を補強するとともに、除雪刃先または排土板がマンホール蓋用受枠に接触する際、箱型リブの上部傾斜面および側傾斜面に広い範囲で接触できることになる。このため、除雪刃先または排土板を容易にガイドでき、逃がしやすくなる。
また、板状のリブに比較して、マンホール蓋用受枠の外周側面にアスファルトの充填や転圧を均一かつ十分に行なうことができる。
また、箱型の枠底面に箱型の枠上縁部が嵌合できる窪みを有することにより、製品の積み重ねが容易にできる。
【０００９】
【発明の実施の形態】
本発明のマンホール蓋用受枠を図面に基づいて説明する。図１はマンホール蓋用受枠の平面図を、図２は底面図を、図３は斜視図を、図４は径方向断面図をそれぞれ示す。
マンホール蓋用受枠１は、径方向断面が箱型の枠２と、この枠２から突起状に、放射状に形成された複数の径方向断面が箱型のリブ３と、枠２とリブ３との外周部４の下部に形成されたフランジ５とを備えている。
枠２は、径方向断面が内部に空間を有する箱型となっており（図４（ｂ））、この箱型は、マンホール蓋に嵌合する内周部２ａと、その上縁より外方に向かって下り傾斜を有する上縁部２ｂと、この上縁部２ｂの先端よりフランジ５に至る外周部２ｃとより構成される。このように内周部２ａと外周部２ｃとからなる二重円筒の頂部に下り傾斜の上縁部２ｂを有する箱型とするので、受枠１はマンホール蓋を嵌合して支持するときの機械的強度に優れる。
【００１０】
箱型の枠２における上縁部の下り傾斜を延長した上縁部３ｂと、この上縁部３ｂの外側よりフランジ５に連結される外周部３ｃとにより突起状の径方向断面箱型が形成され（図４（ｃ））、この部分が箱型のリブ３となる。箱型のリブ３は受枠１の円中心より放射状に箱型の枠２の外周部２ｃに平面図でみて幅広に形成される。箱型の枠２より上縁部３ｂが放射状に形成されているので、マンホール蓋用受枠１全体として、除雪刃先または排土板の進行方向に対して大きな面積の傾斜面を有する。また、箱型のリブ３は、平面図でみて幅広に形成されたリブ３の側面３ｄ部分も従来の板状のリブに比較して大きな傾斜を有する形状とできるので、あらゆる方向から進行する排土板等を有効に逃がすことができる。大きな面積の傾斜面は除雪刃先または排土板があたったときに上方へ滑らせることができ、衝撃力を緩和できる。傾斜面の水平面からの俯角としては約２６度程度が好ましい。
また、箱型の枠２と箱型のリブ３とが一体の箱型を形成するので、箱型の枠２に板状のリブをつけるのに比較して、リブの強度がより向上する。そのため、箱型の枠２および箱型のリブ３を構成する内周部、上縁部および外周部の肉厚を薄くすることができ、受枠１の重量を軽くすることができる。
【００１１】
平面図でみて、箱型のリブ３の形状は、受枠１の円中心より放射状に幅広の方形に形成されるが、この形状に限定されることなく、例えば、三角形、円形、多角形等のいずれであってもよい。好ましい形態は、補強効果が発揮できる幅広の方形である。
【００１２】
箱型の枠および箱型のリブの外周下部にフランジ５が形成される。フランジ５には、受枠１を固定するためのボルト孔６が箱型のリブ３の間に設けられている。さらに、箱型のリブ３の外周立ち上がり部３ｃが設けられている領域５ｂの肉厚さは、ボルト孔６が設けられている領域５ａのフランジ５の肉厚さよりも薄く形成されている。領域５ｂの肉厚さを薄く設定することにより、除雪刃先または排土板が強く衝突した場合であっても変形しやすくなる。なお、この肉薄部の領域５ｂは空孔領域とすることもできる。
【００１３】
箱型の枠の内部空間には直径方向の内部リブ７を設けることができる（図４（ａ））。内部リブ７を設けることにより、受枠１の曲げ強度がより向上する。また、内部リブ７の下面は受枠１の下面と面一でなく、所定の窪み７ａをつけて形成する。所定の窪み７ａは受枠１を積み重ねたとき、箱型の枠２の底面に枠上縁部２ｂが嵌合できる大きさであることが好ましい。保管、輸送時に受枠１の積み重ねが容易にできる。
【００１４】
本発明のマンホール蓋用受枠は、特に作業者が出入りできる大きさのマンホール蓋を受ける受枠に好適に適用できる。そのようなマンホール蓋としては、例えばＪＩＳ  Ａ５５０６に規定されるＴ−２５などが挙げられる。
【００１５】
【発明の効果】
本発明のマンホール蓋用受枠は、径方向断面が箱型の枠と、この箱型の枠から放射する突起状に形成された複数の径方向断面が箱型のリブと、この箱型の枠およびリブの外周下部に形成されたフランジとを備え、上記箱型の枠がマンホール蓋に嵌合する内周部と、この内周部の上縁より外方に向かって下り傾斜を有する上縁部と、この上縁部先端よりフランジに至る外周部とより形成され、上記箱型のリブが上記箱型の枠の上縁部より連続して放射状に形成されるリブ上縁部とフランジに至るリブ外周部とより形成され、フランジが箱型のリブ間に形成されたボルト孔を有し、リブ外周部の立ち上がり部の周囲に肉薄部が形成されてなるので、積雪地域に設置されるマンホール蓋用受枠として、除雪刃先または排土板を容易にガイドでき、逃がしやすくなる。その結果、マンホール蓋用受枠の損傷や、除雪車の急停車による運転者の負傷等がなくなる。
また、板状のリブに比較して、箱型のリブなのでマンホール蓋用受枠の外周側面にアスファルトの充填や転圧を均一かつ十分に行なうことができる。
また、箱型の枠と箱型のリブとを組み合わせているので、機械的強度に優れるので、肉厚を薄くすることができ、材料コストを下げ、鋳物製造時の造型が容易になる。
【００１６】
また、上記箱型のリブ上縁部が上記箱型の枠上縁部と同一の下り傾斜を有するので、アスファルトの充填や転圧不足による表面剥離が生じてもガイド部が大きくとれるので、除雪刃先または排土板をより容易に逃がすことができる。
【００１７】
また、上記箱型の枠底面に箱型の枠上縁部が嵌合できる窪みを有するので、製品在庫保管時輸送時に受枠を容易に積み重ねることができる。
【図面の簡単な説明】
【図１】マンホール蓋用受枠の平面図である。
【図２】マンホール蓋用受枠の底面図である。
【図３】マンホール蓋用受枠の斜視図である。
【図４】マンホール蓋用受枠の径方向断面図である。
【符号の説明】
１  マンホール蓋用受枠
２  箱型の枠
３  箱型のリブ
４  外周部
５  フランジ
６  ボルト孔
７  内部リブ
【図１】
2004257197.tif 000003
【図２】
2004257197.tif 000004
【図３】
2004257197.tif 000005
【図４】
2004257197.tif 000006